(57)【要約】【課題】ズーム位置や撮像装置の向きを変えるとどのような画像が得られるかを的確に把握でき、かつ、高画質なズーム画像を撮像できる撮像装置を提供する。【解決手段】撮像装置が焦点距離を可変可能とした光学系と、前記光学系により結像された被写体像を画像信号に変換する撮像素子と、ズーム操作に応じて所望ズーム位置を算出する所望ズーム位置算出部と、算出された前記所望ズーム位置に応じて所望ズーム時撮像範囲を算出する撮像範囲算出部と、前記撮像素子からの前記画像信号に基づき前記所望ズーム時撮像範囲内および当該所望ズーム時撮像範囲外を含む画像を表示するとともに、前記所望ズーム時撮像範囲を前記画像中に表示する表示部と、ズーム実行指示が入力されると、前記所望ズーム位置に従って前記光学系がズーム動作するよう制御する光学ズーム制御部とを具備する。【選択図】図１
2011015269.tif 000002
【特許請求の範囲】
【請求項１】
焦点距離を可変可能とした光学系と、
前記光学系により結像された被写体像を画像信号に変換する撮像素子と、
ズーム操作に応じて所望ズーム位置を算出する所望ズーム位置算出部と、
算出された前記所望ズーム位置に応じて所望ズーム時撮像範囲を算出する撮像範囲算出部と、
前記撮像素子からの前記画像信号に基づき前記所望ズーム時撮像範囲内および当該所望ズーム時撮像範囲外を含む画像を表示するとともに、前記所望ズーム時撮像範囲を前記画像中に表示する表示部と、
ズーム実行指示が入力されると、前記所望ズーム位置に従って前記光学系がズーム動作するよう制御する光学ズーム制御部と
を具備することを特徴とする撮像装置。
【請求項２】
前記光学ズーム制御部は、前記ズーム実行指示が解除されると、前記光学系が最広角となるよう前記光学系をズーム制御することを特徴とする請求項１に記載の撮像装置。
【請求項３】
前記撮像素子が生成した前記画像信号を、前記所望ズーム位置算出部が算出した前記所望ズーム位置に基づいて電子ズーム処理して電子ズーム画像信号を生成する電子ズーム処理部をさらに備え、
前記表示部は前記画像及び前記所望ズーム時撮像範囲を表示するとともに、前記電子ズーム画像信号に基づいて電子ズーム画像を表示する
ことを特徴とする請求項１または請求項２に記載の撮像装置。
【請求項４】
前記撮像範囲算出部は前記光学系のズームを最も望遠側にしたときのズーム位置である最望遠時ズーム位置に応じて定まる最望遠時撮像範囲をさらに算出し、
前記表示部は前記撮像素子からの前記画像信号に基づく前記画像中に前記最望遠時撮像範囲をさらに表示する
ことを特徴とする請求項１から３のいずれかの項に記載の撮像装置。
【請求項５】
前記光学系の現ズーム位置を算出する現ズーム位置算出部をさらに備え、
前記撮像範囲算出部は前記現ズーム位置および前記所望ズーム位置に応じて所望ズーム時撮像範囲を算出し、
前記表示部は前記撮像素子からの前記画像信号に基づく画像中に前記所望ズーム時撮像範囲を表示する
ことを特徴とする請求項１から４のいずれかの項に記載の撮像装置。
【請求項６】
前記撮像範囲算出部は、前記現ズーム位置および前記光学系の前記最望遠時ズーム位置に応じて最望遠時撮像範囲をさらに算出し、
前記表示部は前記撮像素子からの前記画像信号に基づく画像中に前記最望遠時撮像範囲をさらに表示する
ことを特徴とする請求項５に記載の撮像装置。
【請求項７】
前記表示部は、所望ズーム時撮像範囲が最も広角または最も望遠となると、前記所望ズーム時撮像範囲の表示を変化させることを特徴とする請求項６に記載の撮像装置。
【発明の詳細な説明】
【技術分野】
【０００１】
本発明は、撮像装置に関する。
【背景技術】
【０００２】
撮像者がファインダに表示される画像を見ながら画像の構図や画角を決定する際に、撮像範囲の画像のみがファインダに表示されその周囲の画像が表示されていないと、撮像装置の向きを変え、あるいはズームアウトした場合にどのような画像が得られるかが把握しにくい。これに対して、特許文献１では、画角の異なる４枚の画像をマルチ画面表示し、その中から選択された１枚の画像のズームで撮像を行う方法が提案されている。この方法では、撮像前に画角の異なる画像を確認できるので、画角の選択がより適切に行える。また、特許文献２では、全体画像を見ながら撮像を行い、撮像した全体画像データと、全体画像データの一部を抜き出したトリミング画像データとを対応付けて保存する方法が提案されている。
【先行技術文献】
【特許文献】
【０００３】
【特許文献１】特開２００４−２００９５０号公報
【特許文献２】特開２００８−２２３０６号公報
【発明の概要】
【発明が解決しようとする課題】
【０００４】
しかしながら、特許文献１に示された方法によれば、４枚の画像が並べて表示されるが、各画像の周囲の画像は直接には表示されない。このため、表示されている画像以外に画角や撮像装置の向きを変えるとどのような画像が得られるか的確に把握できないおそれがある。また、特許文献２に示された方法で得られるトリミング画像は全体画像データの一部を抜き出したトリミング画像データに基づく画像なので、画素数が少なく画質が低い。
【０００５】
本発明は、このような事情に鑑みてなされたもので、その目的は、ズーム位置や撮像装置の向きを変えるとどのような画像が得られるかを実際に撮像する前に的確に把握でき、ズームレンズによる撮影の利便性の向上と、高画質なズーム画像を撮像できる撮像装置を提供することにある。
【課題を解決するための手段】
【０００６】
［１］この発明は上述した課題を解決するためになされたもので、本発明の一態様による撮像装置は、焦点距離を可変可能とした光学系と、前記光学系により結像された被写体像を画像信号に変換する撮像素子と、ズーム操作に応じて所望ズーム位置を算出する所望ズーム位置算出部と、算出された前記所望ズーム位置に応じて所望ズーム時撮像範囲を算出する撮像範囲算出部と、前記撮像素子からの前記画像信号に基づき前記所望ズーム時撮像範囲内および当該所望ズーム時撮像範囲外を含む画像を表示するとともに、前記所望ズーム時撮像範囲を前記画像中に表示する表示部と、ズーム実行指示が入力されると、前記所望ズーム位置に従って前記光学系がズーム動作するよう制御する光学ズーム制御部とを具備することを特徴とする。
【０００７】
［２］また、本発明の一態様による撮像装置は上述の撮像装置であって、前記光学ズーム制御部は、前記ズーム実行指示が解除されると、前記光学系が最広角となるよう前記光学系をズーム制御することを特徴とする。
【０００８】
［３］また、本発明の一態様による撮像装置は上述の撮像装置であって、前記撮像素子が生成した前記画像信号を、前記所望ズーム位置算出部が算出した前記所望ズーム位置に基づいて電子ズーム処理して電子ズーム画像信号を生成する電子ズーム処理部をさらに備え、前記表示部は前記画像及び前記所望ズーム時撮像範囲を表示するとともに、前記電子ズーム画像信号に基づいて電子ズーム画像を表示することを特徴とする。
【０００９】
［４］また、本発明の一態様による撮像装置は上述の撮像装置であって、前記撮像範囲算出部は前記光学系のズームを最も望遠側にしたときのズーム位置である最望遠時ズーム位置に応じて定まる最望遠時撮像範囲をさらに算出し、前記表示部は前記撮像素子からの前記画像信号に基づく前記画像中に前記最望遠時撮像範囲をさらに表示することを特徴とする。
【００１０】
［５］また、本発明の一態様による撮像装置は上述の撮像装置であって、前記光学系の現ズーム位置を算出する現ズーム位置算出部をさらに備え、前記撮像範囲算出部は前記現ズーム位置および前記所望ズーム位置に応じて所望ズーム時撮像範囲を算出し、前記表示部は前記撮像素子からの前記画像信号に基づく画像中に前記所望ズーム時撮像範囲を表示することを特徴とする。
【００１１】
［６］また、本発明の一態様による撮像装置は上述の撮像装置であって、前記撮像範囲算出部は、前記現ズーム位置および前記光学系の前記最望遠時ズーム位置に応じて最望遠時撮像範囲をさらに算出し、前記表示部は前記撮像素子からの前記画像信号に基づく画像中に前記最望遠時撮像範囲をさらに表示することを特徴とする。
【００１２】
[７]また、本発明の一態様による撮像装置は上述の撮像装置であって、前記表示部は、所望ズーム時撮像範囲が最も広角または最も望遠となると、前記所望ズーム時撮像範囲の表示を変化させることを特徴とする。
【発明の効果】
【００１３】
この発明によれば、撮像装置を用いて撮像する際に画角や撮像装置の向きを変えるとどのような画像が得られるかを実際に撮像する前に的確に把握でき、ズームレンズによる撮影の利便性の向上と、高画質なズーム画像を撮像することができる。
【図面の簡単な説明】
【００１４】
【図１】本発明の第１の実施形態による携帯端末装置１中の、撮像を行うために機能する各部の構成を示す概略構成図である。
【図２】同実施形態における携帯端末装置１の全体構成を示す概略構成図である。
【図３】同実施形態において撮像素子からの画像信号に基づく画像中に所望ズーム位置表示枠と最望遠ズーム位置表示枠とを表示し併せてデジタルズーム画像を表示する、主表示部８１の画面の例を示す図である。
【図４】同実施形態における携帯端末装置１が撮像を行うために状態遷移する各状態において、主表示部８１が表示する画面の例を示す図である。
【図５】同実施形態において光学系６１が所望ズーム位置にあるときに主表示部８１が表示する画面の例を示す図である。
【図６】同実施形態において仮保存された画像信号を大容量メモリ１７１に記録するか否かを問い合わせるメッセージを表示した、主表示部８１の画面の例を示す図である。
【図７】同実施形態において携帯端末装置１を横向きにしたときの主表示部８１の画面の例を示す図である。
【図８】同実施形態において主表示部８１が、撮像素子６２からの画像のうち、主表示部８１の縦横比率に応じた一部分のみを表示する例を示す図である。
【図９】本発明の第２の実施形態によるデジタルカメラ装置２の外形を示す概略図である。
【発明を実施するための形態】
【００１５】
＜第１の実施形態＞
以下、図面を参照して、本発明の第１の実施の形態について説明する。
図１は、本発明の第１の実施形態によるカメラ付き携帯端末装置（以下、単に携帯端末装置という）の、撮像を行うために機能する各部の構成を示す概略構成図である。同図において、携帯端末装置１は主制御部１０と操作部５１と主カメラ６０と主表示部８１と表示メモリ８２と重力センサー１０１とメモリ１６１と大容量メモリ１７１と仮保存メモリ１８１とを含んで構成される。主制御部１０は所望ズーム位置算出部１１と光学ズーム制御部１２と現ズーム位置算出部１３と信号処理部１４と枠生成部１５と縦横判定部１６と電子ズーム処理部１７と画像記録制御部１８と表示制御部１９とを含んで構成される。主カメラ６０は光学系６１と撮像素子６２と画像信号処理部６３とを含んで構成される。
主制御部１０は携帯端末装置１の各部の制御を行う。主制御部１０内の各部の機能については後述する。操作部５１はユーザによる操作を受け付けて該操作に応じた信号を出力する。操作部５１は、半押しと全押しとを区別可能なシャッターボタンと、ズーム操作を行うためのズームボタンと、複数の項目の中から１個を選択するための選択ボタンとを含んで構成される。ズームボタンは広角側へのズーム操作を行う広角ズームボタンと望遠側へのズーム操作を行う望遠ズームボタンとを含んで構成される。選択ボタンは、例えば、メニュー画面に表示されたデータや機能等の選択項目のうち、１つ前の候補を選択することを示す前選択ボタンと１つ後の候補を選択することを示す後選択ボタンと選択を決定することを示す選択決定ボタンとを含んで構成される。
本実施形態では、通常の撮像装置として動作させるモードと本発明で示されるモードを選択的に決定することが可能である。各モードの詳細については後述する。
【００１６】
操作部５１は、シャッターボタンが半押しされるとズーム実行指示を示すズーム実行信号を光学ズーム制御部１２に経路W1を通じて出力する。また、操作部５１は、シャッターボタンが開放されてズーム実行指示が解除されると、ズーム実行信号を光学ズーム制御部１２に出力しない。光学ズーム制御部１２は、ズーム実行信号が入力されないことによってズーム実行指示が解除されたことを検出する。後述するように、光学ズーム制御部１２はズーム実行信号が入力されると、光学系６１が所望ズーム位置となるよう制御する。また、光学ズーム制御部１２は、ズーム実行指示が解除されると光学系６１が最広角となるよう制御する。具体的には、光学ズーム制御部１２は、ズーム実行信号が入力されないことによってズーム実行指示が解除されたことを検出し、光学系６１が最広角となるよう制御する。
なお、シャッターボタン半押しが開始されたときに、ズーム実行指示を示すパルス信号を、操作部５１が出力するようにしてもよい。光学ズーム制御部１２は、このパルス信号が入力されると、光学系６１が所望ズーム位置となるよう制御する。また、操作部５１は、シャッターボタンが解放されると、ズーム実行指示が解除されたことを示すパルス信号を出力する。光学ズーム制御部１２は、このパルス信号が入力されると、光学系６１が最広角となるよう制御する。光学ズーム制御部１２は、光学系６１が所望ズーム位置にあるか又は光学系６１が光学ズーム実行中に入力されるパルス信号を、ズーム実行指示が解除されたことを示すパルス信号と判断し、それ以外のパルス信号を、ズーム実行指示を示すパルス信号と判断する。なお、ズーム実行指示がなされた場合は、操作部５１がパルス信号を１回出力し、ズーム実行指示が解除された場合は、操作部５１がパルス信号を連続して２回出力するなど、互いに異なる信号を出力するようにしてもよい。これにより、光学ズーム制御部１２は、ズーム実行指示を示す信号かズーム実行指示が解除されたことを示す信号かを区別することができる。
光学系６１が所望ズーム位置となった後にシャッターボタンが全押しされると、操作部５１は画像記録制御部１８に画像記録操作信号を出力する。具体的には、現ズーム位置算出部１３は、光学系６１に付随するセンサーから光学系中におけるレンズの位置を示す情報を、経路Ｚ１を通じて入力を受け、該情報に基づいて現ズーム位置を算出する。現ズーム位置算出部１３は、算出した現ズーム位置を、経路Ｗ２を通じて操作部５１に出力する。一方、所望ズーム位置算出部１１は、所望ズーム位置を経路Ｗ３を通じて操作部５１に出力する。操作部５１は、入力される現ズーム位置と所望ズーム位置とを比較して、光学系６１が所望ズーム位置にあると判断し、画像記録制御部１８に画像記録操作信号を、経路W４を通じて出力する。後述するように、画像記録制御部１８は画像記録操作信号が入力されると、信号処理部１４から入力される画像信号を静止画像として、すなわち静止画像のフォーマットに従って仮保存メモリ１８１に書き込む。
この仮保存メモリ１８１に書き込むことは一例でありこれに限らない。例えば画像記録制御部１８が、仮保存メモリ１８１の代わりに大容量メモリ１７１または表示メモリ８２を用いるようにしてもよい。
一方、光学系６１が所望ズーム位置となる前にシャッターボタンが全押しされると、操作部５１は、光学系６１が所望ズーム位置となるまでズーム実行信号を光学ズーム制御部１２に出力する。そして、光学系６１が所望ズーム位置となると、操作部５１は画像記録操作信号を画像記録制御部１８に出力する。光学系６１が所望ズーム位置にあるか否かの判断は、上記と同様、現ズーム位置と所望ズーム位置との比較により行う。
また、操作部５１は望遠ズームボタンが押下されると望遠ズーム操作信号を出力し、広角ズームボタンが押下されると広角ズーム操作信号を出力し、前選択ボタンが押下されると前選択信号を出力し、後選択ボタンが押下されると後選択信号を出力し、選択決定ボタンが押下されると選択決定信号を出力する。以下では、広角ズーム操作信号と望遠ズーム操作信号とを合わせてズーム操作信号といい、前選択信号と後選択信号と選択決定信号とを合わせて選択信号という。なお、これらのボタンは各操作専用のボタンではなく携帯電話の操作に用いるテンキー等のキーに割り当てられていてもよい。また、シャッターボタン半押しに相当するボタンとシャッターボタン全押に相当するボタンとがそれぞれ別のボタンであってもよく、この場合は全押しのみが検知されるボタンであってもよい。
【００１７】
主カメラ６０は被写体からの光線の入力を受けて画像信号を出力する。光学系６１は焦点距離を可変とした光学系であり、被写体からの光線の入力を受けて撮像素子６２上に被写体像を結像する。光学系６１はズームレンズを含んで構成され、ズーム位置を変化させることによりズームを行う。撮像素子６２は光学系６１により結像された被写体像を画像信号に変換する。画像信号処理部６３は、撮像素子から入力されるアナログの画像信号をデジタル信号に変換する。主表示部８１は液晶パネルを含んで構成され、主制御部１０が出力する画像信号に応じて画像を表示する。表示メモリ８２は主制御部１０が主表示部８１に表示させる画像の信号を記憶する。重力センサー１０１は携帯端末装置１の向きを判定するセンサーであり重力方向を検出できるものであれば種類は問わない。メモリ１６１は携帯端末装置１が各種の機能を実行するために用いるデータを記憶する。メモリ１６１が記憶するデータには、携帯端末装置１の状態設定情報であるモード設定情報と、主表示部８１に表示されるメッセージの情報であるメッセージプリセットとが含まれる。大容量メモリ１７１は画像データや音声データなどの種々のデータを記憶する。主制御部１０は撮像した画像データを大容量メモリ１７１に書き込む。仮保存メモリ１８１は主制御部１０が撮像した画像データを一時的に記憶する。
【００１８】
主制御部１０において所望ズーム位置算出部１１はズーム操作信号の入力を受けて、撮像時にとるべきズーム位置である所望ズーム位置を算出する。つまり所望ズーム位置算出部１１は外部からのズーム操作に応じて所望ズーム位置を算出する。所望ズーム位置は当該ズーム位置におけるズーム倍率またはズーム動作範囲の総ステップ数に対する所望ステップ位置により管理、表現される。よって、ズーム倍率以外に所望ズーム位置から最広角ズーム位置に至るまでに要するステップ（制御ステッピングモーター等で駆動するステップ）等、ズーム倍率以外の管理、表現方法により所望ズーム位置が管理、表現されるようにしてもよい。所望ズーム位置算出部１１は算出した所望ズーム位置を自所望ズーム位置算出部１１内の所望ズーム位置記憶部（不図示）に記憶している。が、それ以外にメモリ１６１等他のメモリに記憶するようにしても良い。
広角ズーム操作信号の入力を受けると所望ズーム位置算出部１１は、所望ズーム位置記憶部に記憶した所望ズーム位置を広角側に変化させる（広角ズーム操作信号が入力された期間に比例する値をズーム倍率の値から減算する）。ただし、所望ズーム位置記憶部に記憶した所望ズーム位置が最広角の場合には、広角ズーム操作信号の入力を受けても何もしない。望遠ズーム操作信号の入力を受けると所望ズーム位置算出部１１は、所望ズーム位置記憶部に記憶した所望ズーム位置を望遠側に変化させる（望遠ズーム操作信号が入力された期間に比例する値をズーム倍率の値に加算する）。ただし、所望ズーム位置記憶部に記憶した所望ズーム位置が最望遠の場合には、望遠ズーム操作信号の入力を受けても何もしない。
【００１９】
光学ズーム制御部１２はズーム実行信号が入力されると、光学系６１が所望ズーム位置となるよう制御する。光学ズーム制御部１２は、所望ズーム位置算出部１１からの所望ズーム位置が現ズーム位置算出部１３からの現ズーム位置よりも望遠側にある（ズーム倍率の値が大きい）ときは光学系６１が望遠側にズーム動作するよう制御し、広角側にある（ズーム倍率の値が小さい）ときは光学系６１が広角側にズーム動作するよう制御する。一方、ズーム実行信号が入力されていないときには、光学ズーム制御部１２は、光学系６１の画角が最広角となるよう光学系６１をズーム制御する。
現ズーム位置算出部１３は、光学系６１が行っているズーム位置である現ズーム位置を算出する。つまり、現ズーム位置算出部１３は、光学系６１の現ズーム位置を算出する。現ズーム位置算出部１３は、光学系６１に付随するセンサー（不図示）から光学系６１中におけるレンズの位置を示す情報の入力を受け、該情報に基づいて現ズーム位置を算出する。
【００２０】
なお、光学ズーム制御部１２が光学系６１の駆動モーターに対して移動ステップパルスを出力してズーム指示を行い、光学系６１が入力されたステップパルス数に基づいてズーム移動を行うようにしてもよい。光学ズーム制御部１２は、光学系６１が最広角レンズ位置と最望遠レンズ位置との間を移動するステップ数Ｎを予め知っている。また、光学ズーム制御部１２は自身が光学系６１に入力したステップ数を積算することにより、光学系６１の現ズーム位置を算出し、内部に記憶する。この場合、光学ズーム制御部１２は現ズーム位置算出部１３を兼ねる。例えば、光学系６１が最広角ズーム位置にあり、所望ズーム位置が最広角ズームと最望遠ズームとの真ん中の位置である場合、光学ズーム制御部１２は光学系６１に対して、Ｎ／２ステップだけ望遠側にズームする指示を行う。なお、光学系６１が最広角の位置にある場合、センサー（不図示）がこれを検出し、検出したことを示す信号を光学ズーム制御部１２に出力するようにしてもよい。信号の入力を受けた光学ズーム制御部１２は内部に記憶するステップ数を、最広角の位置のステップ数（０ステップ）に合わせる。これにより、光学ズーム制御部１２が内部に記憶するステップ数と実際のステップ数との誤差を解消することができる。同様に、光学系６１が最望遠の位置に有る場合、センサー（不図示）がこれを検出し、検出したことを示す信号を光学ズーム制御部１２に出力するようにしてもよい。
【００２１】
信号処理部１４は、画像信号処理部６３から入力される画像信号に対して輪郭強調やガンマ補正などの信号処理を行う。枠生成部１５は所望ズーム位置算出部１１が算出した所望ズーム位置に基づいて所望ズーム時撮像範囲を算出する。ここで、所望ズーム時撮像範囲は、所望ズーム位置にて撮像したときの撮像範囲を、撮像素子６２からの画像信号が示す画像中の範囲として示したものであり、同画像中に範囲を示す最上位置と最下位置と最左位置と最右位置とによって表現される。なお、所望ズーム時撮像範囲は、撮像素子６２からの画像信号が示す画像中において所望ズーム位置にて撮像したときの撮像範囲が占める割合等、上記以外の表現方法により表現されるようにしてもよい。
枠生成部１５は、所望ズーム位置と所望ズーム時撮像範囲との対応表を予め備えており、所望ズーム位置算出部１１が算出した所望ズーム位置に基づいて対応表を検索することにより、所望ズーム位置に応じて所望ズーム時撮像範囲を算出する。なお、枠生成部１５が所望ズーム位置と所望ズーム時撮像範囲との関係を関数として予め備え、当該関数を用いて所望ズーム時撮像範囲を算出するなど、上記以外の方法で算出するようにしてもよい。このように、枠生成部１５（撮像範囲算出部）は、所望ズーム位置算出部１１によって算出された所望ズーム位置に応じた所望ズーム時撮像範囲を算出する。枠生成部１５は、所望ズーム時撮像範囲を示す所望ズーム位置表示枠を信号処理部１４から入力される画像信号中に合成する。
【００２２】
また、枠生成部１５は、光学系６１の最望遠時ズーム位置（最望遠となるようにズーム動作した状態におけるズーム位置）を予め記憶しており、最望遠時ズーム位置に応じた最望遠時撮像範囲を算出する。ここで、最望遠時撮像範囲は、最望遠時ズーム位置にて撮像したときの撮像範囲を、撮像素子６２からの画像信号が示す画像中に範囲として示したものであり、同画像中の範囲の最上位置と最下位置と最左位置と最右位置とによって表現される。なお、所望ズーム時撮像範囲と同様、最望遠時撮像範囲が上記以外の表現方法で表現されるようにしてもよい。このように、枠生成部１５（撮像範囲算出部）は、光学系６１のズームを最望遠にしたときのズームである最望遠時ズーム位置に応じて定まる最望遠時撮像範囲をさらに算出する。枠生成部１５は、最望遠時撮像範囲を示す最望遠ズーム位置表示枠を、所望ズーム位置表示枠が合成された前記画面中にさらに合成する。
光学系６１の画角が最広角にないとき、すなわち光学系６１がズームインした状態で所望ズーム位置表示枠を表示するには、既にズーム動作が行われた現ズーム位置を考慮して所望ズーム時撮像範囲を算出する必要がある。そこで、枠生成部１５は現ズーム位置算出部１３から入力される現ズーム位置と所望ズーム位置算出部１１から入力される所望ズーム位置とに基づいて、所望ズーム時撮像範囲を算出する。上記と同様、枠生成部１５は、所望ズーム位置と現ズーム位置と所望ズーム時撮像範囲との対応表を予め備えており、所望ズーム位置算出部１１が算出した所望ズーム位置と現ズーム位置算出部１３が算出した現ズーム位置とに基づいて前記対応表を検索することにより、所望ズーム位置に応じた所望ズーム時撮像範囲を算出する。なお、枠生成部１５が所望ズーム位置と現ズーム位置と所望ズーム時撮像範囲との関係を予め関数として備え、当該関数を用いて所望ズーム時撮像範囲を算出するなど、上記以外の方法で算出するようにしてもよい。このように、枠生成部１５（撮像範囲算出部）は、現ズーム位置算出部１３からの現ズーム位置および所望ズーム位置算出部１１からの所望ズーム位置に応じて所望ズーム時撮像範囲を算出する。枠生成部１５は、所望ズーム時撮像範囲を示す所望ズーム位置表示枠を信号処理部１４から入力される画像信号中に合成する。
また、枠生成部１５は、現ズーム位置算出部１３から入力される現ズーム位置と予め記憶している最望遠時ズーム位置とに基づいて、最望遠時撮像範囲を算出する。このように、枠生成部１５（撮像範囲算出部）は、現ズーム位置算出部１３からの現ズーム位置および光学系６１の最望遠時ズーム位置に応じて最望遠時撮像範囲をさらに算出する。枠生成部１５は、最望遠時撮像範囲を示す最望遠ズーム位置表示枠を、所望ズーム位置表示枠が合成された前記画面中にさらに合成する。
【００２３】
縦横判定部１６は、重力センサーから入力される携帯端末装置１の向きの情報に基づいて、携帯端末装置１が縦向きか横向きかを判定する。電子ズーム処理部１７は信号処理部１４から入力される画像信号を、所望ズーム位置算出部１１が算出した所望ズーム位置に基づいて電子ズーム処理して電子ズーム画像信号を生成する。つまり、電子ズーム処理部１７は撮像素子６２が生成した画像信号を、所望ズーム位置算出部１１が算出した所望ズーム位置に基づいて電子ズーム処理して電子ズーム画像信号を生成する。画像記録制御部１８は、操作部５１から画像記録操作信号が入力されると、信号処理部１４から入力される画像信号を仮保存メモリ１８１に書き込む。画像記録制御部１８は、操作部５１から入力される選択信号に応じて仮保存メモリ１８に記録された画像信号を大容量メモリ１７１に書き込む。なお、画像記録制御部１８が、信号処理部１４から入力される画像信号を仮保存メモリ１８１に書き込まずに直接大容量メモリ１７１に書き込むようにしてもよい。
表示制御部１９はメモリ１６１からモード設定情報を読み出し、また縦横判定部１６から携帯端末装置１が縦向きか横向きかの情報の入力を受けて、主表示部に表示ずる画像の配置を決定する。表示制御部１９は、枠生成部１５から入力される画像信号と、電子ズーム処理部１７から入力される電子ズーム画像信号とを、決定した配置に基づいて主表示部８１に表示させる。現ズーム位置が所望ズーム位置よりも広角であるとき、撮像素子６２から出力される画像信号が示す画像は所望ズーム位置に対応する所望ズーム時撮像範囲内の画像と所望ズーム時撮像範囲外の画像とを含み、前述のとおり枠生成部１５がこの画像信号に所望ズーム位置表示枠と最望遠ズーム位置表示枠とを合成し、主表示部８１がこの画像信号に基づく画像を表示する。つまり、表示部８１（主表示部）は撮像素子６２からの画像信号に基づき所望ズーム時撮像範囲内および当該所望ズーム時撮像範囲外を含む画像を表示するとともに、前記所望ズーム時撮像範囲を前記画像中に表示する。また、主表示部８１（表示部）は撮像素子６１からの画像信号に基づく画像中に最望遠ズーム位置表示枠（最望遠時撮像範囲）をさらに表示する。また、主表示部８１（表示部）は撮像素子６２からの画像信号に基づく画像及び所望ズーム時撮像範囲を表示するとともに、電子ズーム画像信号に基づいて電子ズーム画像を表示する。
【００２４】
図２は携帯端末装置１の全体構成を示す概略構成図である。同図において、携帯端末装置１は主制御部１０と無線部３１と通信制御部３２とプログラムメモリ４１と操作部５１と主カメラ６０と副カメラ７０と主表示部８１と副表示部９１と表示メモリ８２および９２と重力センサー１０１とＧＰＳ（Global Positioning System、全地球測位システム）機能部１１１とマイク１２１とスピーカ１２２と音声処理部１２３とＲＦＩＤ(Radio Frequency Identification)リーダー１３１と、Ｉｒ（Infrared Rays;赤外線）送信部１４１とＩｒ受信部１４２とインジケータ１５１とメモリ１６１と大容量メモリ１７１と仮保存メモリ１８１と電源制御部１９１と電池１９２とを含んで構成される。主カメラ６０は光学系６１と撮像素子６２と画像信号処理部６３とを含んで構成される。副カメラ７０は光学系７１と撮像素子７２と画像信号処理部７３とを含んで構成される。
図２において図１の各部と同一の部分には同一の符号（１０、５１、６０、６１、６２、６３、８１、８２、１０１、１６１、１７１、１８１）を付し、その説明を省略する。ただし、主制御部１０は図１で説明した部分に加えて、音声通話機能部や電子メール機能部など、画像を撮像する機能以外の機能部も含んで構成される。また、メモリ１６１に記憶されるデータには、図１で説明したデータに加えて、携帯端末装置１の電話番号を示す番号プリセットと、ユーザによって入力された電話番号及び付属情報（名前およびメールアドレス等）を示す電話帳と、電話帳の一部を構成する住所データと、電子メールやショートメッセージの送受信履歴を示すメール履歴と、電話の発着信履歴を示す電話履歴と、携帯端末装置１の現在位置を示す位置情報と位置情報の履歴を示す行動履歴とが含まれる。
【００２５】
無線部３１は無線通信アンテナを備え、無線通信アンテナが受信する受信信号をベースバンドの受信信号に変換して通信制御部３２に出力する。また、無線部３１は、通信制御部３２から入力される送信信号を送信周波数の信号に変換し、無線通信アンテナを介して送信する。通信制御部３２は、無線部３１から入力した受信信号の復調処理と、制御部１０から入力した送信信号の変調処理とを行う。通信制御部３２は無線部３２を介して、撮像された画像が添付されたメールを送信する。プログラムメモリ４１は、携帯端末装置１の種々の機能にかかる各種ソフトウェアを格納する記憶部である。主制御部１０はプログラムメモリ４１に記憶されるソフトウェアを読み出し、該ソフトウェアに従う処理を行うことで各部の機能を実行する。副カメラ７０の機能は主カメラ６０の機能と同様である。副カメラ７０はユーザが自身を撮像する自分撮り等に用いられる。光学系７１と撮像素子７２と画像信号処理部７３の機能はそれぞれ光学系６１と撮像素子６２と画像信号処理部６３の機能と同様であり説明を省略する。副表示部９１は主表示部８１と同様、主制御部１０が出力する画像信号に応じて画像を表示する。ＧＰＳ機能部１１１はＧＰＳアンテナを備え、ＧＰＳ衛星から送信される電波に基づき携帯端末装置１の現在の位置情報を取得する。なお、主制御部１０が撮像画像を大容量メモリ１７１に書き込むときに、ＧＰＳ機能部１１１から出力される位置情報を併せて書き込むようにしてもよい。マイク１２１は周囲音を採取して音声信号に変換する。スピーカ１２２は音声信号の入力を受けて音声を出力する。音声処理部１２３はマイク１２１から入力されるアナログの音声信号をデジタル信号化して主制御部１０に出力する。また、音声処理部１２３は主制御部から入力されるデジタルの音声信号をアナログ信号化してスピーカ１２２に出力する。なお、主制御部１０が撮像画像を大容量メモリ１７１に書き込むときに、マイク１２１が採取した周囲音を併せて書き込むようにしてもよい。また、シャッターボタン押下等の操作が行われたときに、スピーカ１２２がシャッター音や報知音を発するようにしてもよい。ＲＦＩＤリーダー１３１は、近距離の無線通信によって外部のタグに埋め込まれたＩＣチップの情報を読み取る。Ｉｒ送信部１４１およびＩｒ受信部１４２は、赤外線を利用して外部の機器とデータ通信を行う。Ｉｒ送信部１４１およびＩｒ受信部１４２は撮像された画像を他の携帯端末装置と送受信する。電源制御部１９１は電池１９２からの電力の供給を受け、各部に電力を供給する。
【００２６】
図３は撮像素子からの画像信号に基づく画像中に所望ズーム位置表示枠と最望遠ズーム位置表示枠とを表示し併せてデジタルズーム画像を表示する、主表示部８１の画面の例を示す図である。
画像Ｐ１は撮像素子からの画像信号に基づく画像であり、所望ズーム位置表示枠Ｆ１と最望遠ズーム位置表示枠Ｆ２とを含む。このように、撮像される部分（所望ズーム位置表示枠Ｆ１に囲まれた部分）の画像が周辺部分の画像とともに１枚の画像中に示されるので、ユーザは、ズーム位置や携帯端末装置１の向きを変えるとどのような画像が得られるかを的確に把握できる。特に前述のように、ズーム実行信号が出力されていないときは、光学系６１は最広角となる。このとき画像Ｐ１は最広角の画像となり、周辺部分の画像が広く表示されるので、ユーザは、ズーム位置や携帯端末装置１の向きを変えるとどのような画像が得られるかをより的確に把握できる。併せて、最望遠時に撮像される部分（ズーム位置表示枠Ｆ２に囲まれた部分）の画像も含まれるのでどの程度までズーム位置を変えられるかを把握できる。また前述のように、光学系６１がズーム動作を実行している際にも、撮像される部分の画像が周辺部分の画像とともに１枚の画像中に示されるので、光学系６１のズーム動作実行中においてもユーザは、ズーム位置や携帯端末装置１の向きを変えるとどのような画像が得られるかを的確に把握できる。例えば光学系６１のズーム動作実行中に撮像対象が動いて撮像範囲から外れた場合でも主表示部６１の画面中には撮像対象の画像が示されていることが期待でき、ユーザは撮像対象の画像を見ながら携帯端末装置１の向きをどう変えればよいかを判断できる。また前述のように、光学系６１がズーム動作を実行している際の画像にも最望遠時に撮像される部分の画像が含まれるので、光学系６１のズーム動作実行中においてもユーザは、どの程度までズーム位置を変えられるかを把握できる。
デジタルズーム画像Ｐ２は画像Ｐ１のうちの所望ズーム位置表示枠Ｆ１内の部分をデジタルズームによって拡大した画像である。このように、ズーム動作実行後に撮像される画像のイメージがデジタルズーム画像によって示されるので、ユーザは撮像される画像のイメージを確認して、このままのズーム位置及び携帯端末装置１の向きで撮像を行うか、ズーム位置や向きを変更するかを判断することができる。
【００２７】
図４は、携帯端末装置１が撮像を行うために状態遷移する各状態において、主表示部８１が表示する画面の例を示す図である。
ユーザによって撮像機能が選択されると、携帯端末装置１は状態Ｓ１１となる。状態Ｓ１１から状態Ｓ１６までは、ズーム操作に応じて光学系６１が随時ズーム動作を実行するモード（通常の撮像装置として動作させるモード）にあり、ズーム位置表示枠やデジタルズーム画像は表示されない。
状態Ｓ１１において主表示部８１は、主カメラ６０から出力される画像信号に応じて動画像を表示する、すなわち、表示する画像を随時更新する。状態Ｓ１１においてズーム操作が行われると、光学ズーム制御部１２からの指示に従って光学系６１がズーム動作を行い、状態Ｓ１２に移る。状態Ｓ１１においてシャッターボタンが半押しされると、焦点制御部（不図示）からの指示に従って光学系６１が合焦状態となり、状態Ｓ１３に移る。状態Ｓ１２において主表示部８１は、状態Ｓ１１の場合と同様の動画像を表示する。ただし、表示される画像のズーム位置が状態Ｓ１１の場合と異なる。状態Ｓ１２においてシャッターボタンが半押しされると、状態Ｓ１１の場合と同様、焦点制御部（不図示）からの指示に従って光学系６１が合焦状態となり、状態Ｓ１３に移る。
【００２８】
状態Ｓ１３において、主表示部８１は状態Ｓ１１及び状態Ｓ１２の場合と同様の動画像を表示する。ただし、状態Ｓ１３においては、合焦状態の画像が表示される。状態Ｓ１3においてシャッターボタンが全押しされると、主カメラ６０から出力される画像信号を画像記録制御部１８が仮保存メモリに書き込み、状態Ｓ１４に移る。状態Ｓ１３においてシャッターボタンが開放されると、そのままのズーム位置で状態Ｓ１１に戻る。状態Ｓ１４において画像記録制御部１８は、仮保存メモリ１８１に保存された画像信号を記録するか否かをユーザに問い合わせるメッセージの信号をメモリ１６１から読み出す。主表示部８１は画像記録制御部１８から出力される信号に従って、仮保存メモリ１８１に保存された画像信号が示す静止画像と、この静止画像を記録するか否かをユーザに問い合わせるメッセージとを表示する。状態Ｓ１４において静止画像を記録する指示が入力されると、画像記録制御部１８は仮保存メモリ１８１に書き込んだ画像信号を静止画像として大容量メモリ１７１に記録する（書き込む）動作を開始し、状態Ｓ１５に移る。状態Ｓ１４において静止画像を記録しない指示が入力されると、光学系６１の画角をそのまま変化させずに状態Ｓ１１に移る。状態Ｓ１５において画像記録制御部１８は、画像の記録中であることを示すメッセージの信号をメモリ１６１から読み出す。主表示部８１は画像記録制御部から出力される信号に従って、仮保存メモリ１８１に保存された画像信号が示す静止画像と、画像の記録中であることを示すメッセージとを表示する。画像記録制御部１８が記録動作を完了すると、状態Ｓ１６に移る。状態Ｓ１６において画像記録制御部１８は、画像の記録が完了したことを示すメッセージの信号をメモリ１６１から読み出す。主表示部８１は画像記録制御部から出力される信号に従って、仮保存メモリ１８１に保存された画像信号が示す静止画像と、画像の記録が完了したことを示すメッセージとを表示する。メッセージ表示後一定期間が経過すると、そのままのズーム位置で状態Ｓ１１に移る。
【００２９】
ズーム位置表示枠を表示するモード（本発明で示されるモード）が選択されている場合に、ユーザによって撮像機能が選択されると、携帯端末装置１は状態Ｓ２１となる。また、携帯端末装置１は、ユーザのモード切替操作に応じて、状態Ｓ１１から状態Ｓ２１に或いはその逆に状態遷移する。状態Ｓ２１から状態Ｓ４５までは、ズーム実行操作に応じて光学系６１がズーム動作を実行するモードにあり、ズーム位置表示枠やデジタルズーム画像が主表示部８１に表示される。
モードの切り替えは、メニュー画面上で行う。メニューボタン（不図示）が押下されると、メニュー画面が表示される。メニュー画面にはモード選択の項目があり、モード選択の項目にはさらに枠不表示モードと枠表示モードとの項目がある。前選択ボタンと後選択ボタンと選択決定ボタンとを用いてモード選択の項目が選択され、さらに、前選択ボタンと後選択ボタンと選択決定ボタンとを用いて枠表示モードが選択されると、ズーム実行操作に応じて光学系６１がズーム動作を実行するモード（枠表示モード、ズーム位置枠を表示するモード）となる。一方、枠不表示モードが選択されると、ズーム操作に応じて光学系６１が随時ズーム動作を実行するモード（枠不表示モード、ズーム位置枠を表示しないモード）となる。
状態Ｓ２１において主表示部８１は、主カメラ６０から出力される画像信号に応じた動画像を表示する。この画像信号には、枠生成部１５が所望ズーム位置表示枠と最望遠ズーム位置表示枠とを合成しており、主表示部８１は動画像中に所望ズーム位置表示枠と最望遠ズーム位置表示枠とを表示する。ここで、所望ズーム位置算出部１１は前回撮像機能終了時の所望ズーム位置を記憶しており、枠生成部１５はこの所望ズーム位置に基づいて所望ズーム位置表示枠と最望遠ズーム位置表示枠とを合成する。併せて主表示部８１は電子ズーム処理部１７から入力されるデジタルズーム画像を動画像として表示する、すなわち、表示する画像を随時更新する。また、状態Ｓ２１においては、光学系６１は画角が最広角の状態にある。状態Ｓ２１においてズーム操作が行われると状態Ｓ２２に移る。状態Ｓ２１においてシャッターボタンが半押しされると、所望ズーム位置算出部１１が算出した所望ズーム位置に応じて光学系６１がズーム動作を行う。さらに焦点制御部（不図示）からの指示に従って光学系６１が合焦状態となり、状態Ｓ２３に移る。
なお所望ズーム位置は、初期値においては前回ズーム位置に設定する。前回ズーム位置は所望ズーム位置記憶部に記憶されている。
【００３０】
状態Ｓ２２において主表示部８１は、所望ズーム位置表示枠と最望遠ズーム位置表示枠とが合成された画像とデジタルズーム画像とを、状態Ｓ２１の場合と同様に表示する。ただし、ズーム操作によって所望ズーム位置算出部１１が算出する所望ズーム位置が状態Ｓ２１の場合と異なる。これにより、枠生成部１５が画像中に合成する所望ズーム位置表示枠の大きさも状態Ｓ２１の場合と異なる。状態Ｓ２２においてシャッターボタンが半押しされると、所望ズーム位置算出部１１が算出した所望ズーム位置に応じて光学系６１がズーム動作を行う。さらに焦点制御部（不図示）からの指示に従って光学系６１が合焦状態となり、状態Ｓ２１の場合と同様に状態Ｓ２３に移る。状態Ｓ２３において主表示部８１は、所望ズーム位置表示枠と最望遠ズーム位置表示枠とが合成された画像を状態Ｓ２１の場合と同様に表示する。ただし、状態Ｓ２３においては光学系６１がズーム動作を行って画角が狭くなっている。このため、所望ズーム位置表示枠が画像の最外側に表示され、最望遠ズーム位置表示枠も状態Ｓ２１の場合よりも大きく表示される点で状態Ｓ２１の場合と異なる。併せて、主表示部８１は画面下側に、主カメラ６０から出力される画像信号に応じた動画像を、少なくとも所望ズーム位置表示枠が合成されないまま表示する。また最望遠ズーム位置表示枠は、ユーザの設定により最望遠時の枠表示を表示するか、非表示にするかを選択できるようにする。他の態様として最望遠ズーム位置表示枠と所望ズーム位置表示枠が一致した場合（すなわち、所望ズーム位置が最も望遠となった場合）は、枠生成部１５が出力する信号を変化させることにより、主表示部８１が所望ズーム位置表示枠の表示を変化させるようにしても良い。例えば、枠の色、模様等を変化させても良い。これにより、ユーザは所望ズーム位置が最望遠ズーム位置に達し、これ以上のズームインは行えないことを把握できる。同様に、所望ズーム位置が最も広角となった場合は、主表示部８１が所望ズーム位置表示枠の表示を変化させるようにしても良い。これにより、ユーザは所望ズーム位置が最広角ズーム位置に達し、これ以上のズームアウトは行えないことを把握できる。
状態Ｓ２３においてシャッターボタンが全押しされると、信号処理部１４を通じて主カメラ６０から出力される画像信号を、画像記録制御部１８が仮保存メモリに書き込む。その後、ユーザの操作により予め設定されている表示モードに従って状態Ｓ２４またはＳ３４またはＳ４４のいずれかの状態に移る。表示モードの設定も、枠表示モード及び枠不表示モードの設定と同様、メニュー画面から表示モードの項目を選択し、さらに１画面表示モード（状態Ｓ２４）と枠なしモード（状態Ｓ３４）枠有りモード（状態Ｓ４４）とのいずれかを選択することによって行う。
状態Ｓ２３においてシャッターボタンが開放されると、光学系６１は画角が最広角となるまでズーム動作を行い状態Ｓ２１に移る。尚この時の所望ズーム位置は、S２３にあった時のズーム位置に設定する。このズーム位置は所望ズーム位置記憶部に記憶されている。
【００３１】
状態Ｓ２４において主表示部８１は状態Ｓ１４の場合と同様、仮保存メモリ１８１に保存された画像信号の静止画像と、この静止画像を記録するか否かをユーザに問い合わせるメッセージとを表示する。このメッセージは表示画面確認の妨げとなる場合は一時的にボタン操作またはメニュー操作により消すこともできる。操作継続中に消すまたは操作後一定の時間のみ消す等の対応としても良い。このように全画面表示及びメッセージを消すことにより表示画面の視認性が良くなる効果がある。状態Ｓ２４において静止画像を記録する指示が入力されると、画像記録制御部１８は仮保存メモリ１８１に書き込んだ画像信号を大容量メモリ１７１に記録する（書き込む）動作を開始し、状態Ｓ２５に移る。状態Ｓ２４において静止画像を記録しない指示が入力されると、光学系６１は画角が最広角となるまでズーム動作を行い状態Ｓ２１に移る。尚この時の所望ズーム位置は、S２４にあった時のズーム位置に設定する。このズーム位置は所望ズーム位置記憶部に記憶されている。
状態Ｓ２５において主表示部８１は、仮保存メモリに保存された画像信号の画像に加えて画像の記録中であることを示すメッセージを、状態Ｓ１５の場合と同様に表示する。画像記録制御部１８が記録動作を完了すると状態Ｓ２６に移る。
状態Ｓ３４において画像記録制御部１８は、仮保存メモリ１８１に保存された画像信号を記録するか否かをユーザに問い合わせるメッセージの信号をメモリ１６１から読み出す。主表示部８１は画像記録制御部１８から出力される信号に従って、仮保存メモリ１８１に保存された画像信号が示す静止画像と、この静止画像を記録するか否かをユーザに問い合わせるメッセージとを表示する。併せて主表示部８１は主カメラ６０から出力される画像信号に応じた動画像を表示する。このメッセージは表示画面確認の妨げとなる場合は一時的にボタン操作またはメニュー操作により消すこともできる。操作継続中に消すまたは操作後一定の時間のみ消す等の対応としても良い。このようにメッセージを消すことにより表示画面の視認性が良くなる効果がある。また、撮影した画像の確認を行いつつ被写体を継続して監視することが可能となり、次の撮影シーンへの対応がスムーズに行える。状態Ｓ３４において静止画像を記録する指示が入力されると、画像記録制御部１８は仮保存メモリ１８１に書き込んだ画像信号を大容量メモリ１７１に記録する（書き込む）動作を開始し、状態Ｓ３５に移る。状態Ｓ３４において静止画像を記録しない指示が入力されると、光学系６１は画角が最広角となるまでズーム動作を行い状態Ｓ２１に移る。尚この時の所望ズーム位置は、S３４にあった時のズーム位置に設定する。このズーム位置は所望ズーム位置記憶部に記憶されている。状態Ｓ３５において主表示部８１は、仮保存メモリに保存された画像信号の画像に加えて画像の記録中であることを示すメッセージを、状態Ｓ２５の場合と同様に表示する。併せて主表示部８１は主カメラ６０から出力される画像信号に応じた動画像を表示する。画像記録制御部１８が記録動作を完了すると状態Ｓ２６に移る。
【００３２】
状態Ｓ４４において画像記録制御部１８は、仮保存メモリ１８１に保存された画像信号を記録するか否かをユーザに問い合わせるメッセージの信号をメモリ１６１から読み出す。主表示部８１は所望ズーム位置表示枠と最望遠ズーム位置表示枠とが合成された画像を状態Ｓ２３の場合と同様に表示する。併せて主表示部８１は、画像記録制御部１８から出力される信号に従って、仮保存メモリ１８１に保存された画像信号が示す静止画像と、この静止画像を記録するか否かをユーザに問い合わせるメッセージとを表示する。このメッセージは表示画面確認の妨げとなる場合は一時的にボタン操作またはメニュー操作により消すこともできる。操作継続中に消すまたは操作後一定の時間のみ消す等の対応としても良い。このようにメッセージを消すことにより表示画面の視認性が良くなる効果がある。また、撮影した画像の確認を行いつつ被写体を継続して監視することが可能となり、次の撮影シーンへの対応がスムーズに行える。状態Ｓ３４の場合と被写体を継続して監視する画像の位置が異なるが同様の効果が期待できる。状態Ｓ４４において静止画像を記録する指示が入力されると、画像記録制御部１８は仮保存メモリ１８１に書き込んだ画像信号を大容量メモリ１７１に記録する（書き込む）動作を開始し、状態Ｓ４５に移る。状態Ｓ４４において静止画像を記録しない指示が入力されると、所望ズーム位置表示枠と表示画像の関係を保持しつつ光学系６１は画角が最広角となるまでズーム動作を行い状態Ｓ２１に移る。尚この時の所望ズーム位置は、S４４にあった時のズーム位置に設定する。このズーム位置は所望ズーム位置記憶部に記憶されている。
【００３３】
状態Ｓ４５において画像記録制御部１８は、画像の記録中であることを示すメッセージの信号をメモリ１６１から読み出す。主表示部８１は、所望ズーム位置表示枠と最望遠ズーム位置表示枠とが合成された画像を状態Ｓ４４の場合と同様に表示する。併せて主表示部８１は、画像記録制御部１８から出力される信号に従って、仮保存メモリ１８１に保存された画像信号が示す静止画像と画像の記録中であることを示すメッセージとを表示する。画像記録制御部１８が記録動作を完了すると、状態Ｓ２６に移る。状態Ｓ２６において画像記録制御部１８は、画像の記録が完了したことを示すメッセージの信号をメモリ１６１から読み出す。主表示部８１は、所望ズーム位置表示枠と最望遠ズーム位置表示枠とが合成された画像を状態Ｓ４４の場合と同様に表示する。併せて主表示部８１は、画像記録制御部１８から出力される信号に従って、仮保存メモリ１８１に保存された画像信号を表示する。記録が完了すると現在撮像されている動画像と画像の記録が完了したことを示すメッセージとを表示する。メッセージ表示後一定期間が経過するとメッセージ表示を消去する。記録が完了すると、画像記録制御部１８は光学ズーム制御部１２に記録が完了したことを示す信号を出力する。光学ズーム制御部１２は、記録が完了したことを示す信号の入力を受けると、所望ズーム位置表示枠と表示画像の関係を保持しつつ、光学系６１の画角が最広角となるまでズーム動作を行うよう制御し、状態Ｓ２１に移る。ここで、Ｓ２１に戻るタイミングとして他にＳ２４、Ｓ３４、Ｓ４４で記録開始と合わせて行うようにしてもよい。または記録完了表示が完了したタイミングに合わせて行うことでもよい。
上記ように状態Ｓ３４とＳ３５とＳ４４とＳ４５とにおいて、主表示部８１は主カメラ６０から出力される画像信号に応じた動画像を表示するので、ユーザは画像の記録中においてもこの動画像を見ながら次の撮像タイミングを検討するなど、次の撮像の準備をすることができる。
【００３４】
図５は、光学系６１が所望ズーム位置にあるときに主表示部８１が表示する画面の例を示す図である。図５は図４の状態Ｓ２３に対応する。図５において画像Ｐ１は主カメラ６０から出力される画像信号に基づく画像である。ズーム動作が実行されたことにより、主カメラ６０から出力される画像がズーム動作実行前（図３の画像Ｐ１）よりも拡大されている。これにより、画像Ｐ１における表示範囲は、所望ズーム位置表示枠内の部分と一致している。また、画像が拡大されているため最望遠ズーム位置表示枠Ｆ２もズーム動作実行前（図３の最望遠ズーム位置表示枠Ｆ２）よりも大きく表示されている。
画像Ｐ２は画像Ｐ１と同様の画像であるが、所望ズーム位置表示枠Ｆ１と最望遠ズーム位置表示枠Ｆ２は表示されていない。ユーザは画像Ｐ２を参照して撮像される画像のイメージを確認し、このままのズーム位置及び携帯端末装置１の向きで撮像を行うか、ズーム位置や向きを変更するかを判断することができる。
【００３５】
図６は、仮保存された画像信号を大容量メモリ１７１に記録するか否かを問い合わせるメッセージを表示した、主表示部８１の画面の例を示す図である。図６は図５の状態Ｓ４４に対応する。図６において画像Ｐ１と所望ズーム位置表示枠Ｆ１と最望遠ズーム位置表示枠Ｆ２とは図５の画像Ｐ１と所望ズーム位置表示枠Ｆ１と最望遠ズーム位置表示枠Ｆ２と同様である。
画像Ｐ２は、仮保存メモリに書き込まれた画像信号が示す静止画像上に、この画像信号を記録するか否かをユーザに問い合わせるメッセージが表示された画像である。画像信号を記録するか否かをユーザに問い合わせるメッセージは、画像信号を記録するか否かの質問を示すメッセージＭ１（「保存します」）と画像を記録する指示を示すメッセージＭ２（「はい」）と画像を記録しない指示を示すメッセージＭ３（「いいえ」）とを含んで構成される。
図６では、メッセージＭ２（「はい」）が選択された状態となっている。メッセージＭ２（「はい」）が選択された状態で後選択信号が入力されると、画像記録制御部１８はメッセージＭ３（「いいえ」）が選択された状態に切り替える。メッセージＭ３（「いいえ」）が選択された状態で前選択信号が入力されると、画像記録制御部１８はメッセージＭ２（「はい」）が選択された状態に切り替える。メッセージＭ２（「はい」）が選択された状態で選択決定信号が入力されると、すなわち静止画像を記録する指示が入力されると、画像記録制御部１８は仮保存メモリに書き込んだ画像信号を大容量メモリ１７１に記録する（図４の状態４５に移る）。メッセージＭ３（「いいえ」）が選択された状態で選択決定信号が入力されると、すなわち静止画像を記録しない指示が入力されると、画像記録制御部１８は画像信号の記録を行わず、光学系６１は最広角となるようにズーム動作を行う（図４の状態２１に移る）。
【００３６】
図７は、携帯端末装置１を横向きにしたときの主表示部８１の画面の例を示す図である。図７の画面Ｐ１と所望ズーム位置表示枠Ｆ１と最望遠ズーム位置表示枠Ｆ２と画面Ｐ２とは、それぞれ図３の画面Ｐ１と所望ズーム位置表示枠Ｆ１と最望遠ズーム位置表示枠Ｆ２と画面Ｐ２とに対応する。携帯端末装置１が縦向きの場合は図３のように縦長の画像であったのに対して、携帯端末装置１が横向きになったことにより横長の画像となっている。
【００３７】
なお、主カメラ６０から入力される画像をそのまま主表示部８１に表示すると、主表示部８１に非表示部分が生じる場合は、主カメラ６０から入力される画像のうち、主表示部８１の縦横比率に応じた一部分のみを表示するようにしてもよい。図８は、主表示部８１が、撮像素子６２からの画像のうち、主表示部８１の縦横比率に応じた一部分のみを表示する例を示す図である。
図１で説明したように、携帯端末装置１が縦向きか横向きかを縦横判定部１６が判定する。表示制御部１９は縦横判定部１６の判定結果に応じて主表示部８１の表示を切り替えるよう制御する。携帯端末装置１が縦向きの状態にあるときは、図３に示したように画面Ｐ１と画面Ｐ２とをそれぞれ縦向きとして上下に並べて表示するよう制御し、携帯端末装置１が横向きの状態にあるときは図８に示すように主カメラ６０から入力される画像のうち、画像の中央を中心とする所定の縦長の矩形部分を切り出して画面Ｐ１の画像と画面Ｐ２の画像とを生成し、左右に並べて表示するよう制御する。
また、画像記録制御部１８は、操作部５１から画像記録操作信号が入力されると、主カメラ６０から入力される画像のうち、上記において表示制御部１９が切り出すのと同一の部分を切り出して縦長の画像を生成し、仮保存メモリ１８１に書き込む。
【００３８】
なお、以上では、静止画を撮像する場合について説明したが、動画を録画（撮影）する場合にも予めズームを確認可能とすることもできる。この場合、操作部５１のシャッターボタンは録画ボタン（撮影ボタン）となる。また、操作部５１はズーム決定ボタンを備える。本実施形態で示されるモードにおける動画の録画においても、ズーム操作で直ちに光学ズームは行われず、ズーム決定ボタンが押下された際に光学ズームが行われる。なお、ズーム決定ボタンはシャッターボタンであってもよい。例えば、シャッターボタン全押しにて録画ボタン押下を示し、シャッターボタン半押しにてズーム決定ボタン押下を示すようにしてもよい。
録画ボタンが押下されるまでの携帯端末装置１の動作は、図４の状態Ｓ２１からＳ２２で説明したのと同様である。
録画ボタンが押下されると、画像記録制御部１８は録画を開始する、すなわち、信号処理部１４から入力される画像を動画として大容量メモリ１７に書き込み、大容量メモリ１７は、画像記録制御部１８によって書き込まれた動画を記憶する。
動画の録画中は状態Ｓ２２（図４）またはＳ２３の画面が表示されている。録画中にズーム操作が行われると、所望ズーム位置算出部１１はズーム操作に応じて所望ズーム位置を算出し、主表示部８１は算出された所望ズーム位置に応じて、表示する所望ズーム位置表示枠の大きさを変化させる。また、電子ズーム処理部１７はズーム操作に応じて電子ズーム量を変化させた画像を出力し、主表示部８１は電子ズーム処理部１７が出力した画像を画面下側に表示する。この時点では光学ズームは行われていないので、画像記録制御部１８が録画する画像のズーム量は変化しない。
【００３９】
ズーム決定ボタンが押下されると、光学ズーム制御部１２は所望ズーム位置まで光学ズームを行う。これに伴い、主表示部８１は図４の状態Ｓ２３と同様の画像を表示する。光学ズームが行われたことにより、画像記録制御部１８が録画する画像のズーム量も変化している。
このように、ズーム決定ボタンが押下されてから光学ズームが行われるので、ユーザは所望ズーム時撮像範囲枠や主表示部８１の下側に表示される電子ズーム画像を見て、ズームされた画像を予め確認してから録画画像をズームさせることができる。
一方、録画中に広角方向へのズーム操作が行われた場合は、光学系６１がズーム操作に応じて直ちに広角側にズームする。これにより、画像記録制御部１８が録画する画像のズーム量も変化する。
なお、光学ズームを行うズームスピードはユーザの設定により変更可能としてもよい。これにより、ユーザはズームスピードを調節できるので、演出効果が増す。
【００４０】
＜第２の実施形態＞
次に、本発明の第２の実施形態について説明する。
図９は、本発明の第２の実施形態によるデジタルカメラ装置２の外形を示す概略図である。図９（ａ）はデジタルカメラ装置２を前方（レンズ側）斜め上からみた図であり、図９（ｂ）はデジタルカメラ装置２を後ろ（ファインダ側）から見た図である。同図において、デジタルカメラ装置２の光学系６１と主表示部（ファインダ）８１とシャッターボタン６０１と広角ズームボタン６０２と望遠ズームボタン６０３と前選択ボタン６０４と選択決定ボタン６０５と後選択ボタン６０６とが示されている。
デジタルカメラ装置２中の、撮像装置として画像を撮像するために機能する各部の構成は、第１の実施形態に関連して図１等に示し、そして説明をしたものと同様であるので、その説明を省略する。
【００４１】
デジタルカメラ装置２が撮像を行うための動作および表示部８１が表示する画面は、図３から図７と同様である。したがって、本実施形態のデジタルカメラ装置２においても第１の実施形態の携帯端末装置１と同様の効果が得られる。
【００４２】
なお、図１および図２における携帯端末装置１の全部または一部と、図９におけるデジタルカメラ装置８の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００４５】
本発明は、カメラ付き携帯端末装置やデジタルカメラ等の撮像装置に用いて好適である。
【符号の説明】
【００４６】
１…携帯端末装置
２…デジタルカメラ装置
１０…主制御部
１１…所望ズーム位置算出部
１２…光学ズーム制御部
１３…現ズーム位置算出部
１４…信号処理部
１５…枠生成部
１７…電子ズーム処理部
１８…画像記録制御部
１９…表示制御部
５１…操作部
６０…主カメラ（画像信号生成部）
６１…光学系
６２…撮像素子
６３…画像信号処理部
８１…主表示部（表示部）
８２…表示メモリ
１６１…メモリ
１７１…大容量メモリ
１８１…仮保存メモリ
【図１】
2011015269.tif 000003
【図２】
2011015269.tif 000004
【図３】
2011015269.tif 000005
【図４】
2011015269.tif 000006
【図５】
2011015269.tif 000007
【図６】
2011015269.tif 000008
【図７】
2011015269.tif 000009
【図８】
2011015269.tif 000010
【図９】
2011015269.tif 000011